【手続補正書】
【提出日】平成16年3月24日(2004.3.24)
【手続補正１】
【補正対象書類名】特許請求の範囲
【補正対象項目名】全文
【補正方法】変更
【補正の内容】
【特許請求の範囲】
【請求項１】
その中に第１の開口を有する第１の眼鏡部材、およびその中に第２の開口を有する第２の眼鏡部材を一緒に取り付けるための固定デバイスであって：
該第１の開口を通り、そして該第２の開口中への少なくとも部分的な挿入のためのブッシングであって、該ブッシングの末端部分に開口した内部チャンネルを含む、ブッシング；
該第２の開口を通り、そして該ブッシングの内部チャンネル中への挿入のためのピンであって、頭部、および柄を備え、該柄が該チャンネルの壁に係合するためにそれから半径方向に伸びる複数のとげを有し、ここで、該複数のとげが該柄の長さに沿って長軸方向のノッチによって側面方向に分離され、そして該チャンネル中への挿入を容易にするために角を成し、そして該ブッシングからの該ピンの所望されない移動を防ぐ、固定デバイス。
【請求項２】
前記ブッシングが、前記チャンネル開口から間隔を置いて配置された周縁リップをさらに含む、請求項１に記載の固定デバイス。
【請求項３】
前記ピンおよびとげが、金属製材料から製作される、請求項１に記載の固定デバイス。
【請求項４】
前記ブッシングが、ポリマーから製作される、請求項１に記載の固定デバイス。
【請求項５】
前記ブッシングが、ナイロンから製作される、請求項１に記載の固定デバイス。
【請求項６】
前記第１の眼鏡部材がレンズであり、そして前記第２の眼鏡部材がテンプルヒンジ取り付けブラケットまたはブリッジである、請求項１に記載の固定デバイス。
【請求項７】
前記第１の眼鏡部材がブリッジであり、そして前記第２の眼鏡部材がレンズである、請求項１に記載の固定デバイス。
【請求項８】
前記第１の眼鏡部材がテンプルヒンジ取り付けブラケットであり、そして前記第２の眼鏡部材がテンプルまたはレンズである、請求項１に記載の固定デバイス。
【請求項９】
前記柄が、前記頭部から間隔を置いて配置された円錐形先端をさらに含む、請求項１に記載の固定デバイス。
【請求項１０】
前記ブッシングのリップが、移動を容易にするための円錐形中心点を含む、請求項２に記載の固定デバイス。
【請求項１１】
前記第２の眼鏡部材が、１つの端部上に環状アパーチャを備えた環状突出部を含むテンプルであり；
前記テンプルヒンジ取り付けブラケットが、上面近傍の第１の突出部、および下面近傍の第２の突出部を備えてそれらの間の凹部を規定し；
該第１の突出部および第２の突出部が、環状アパーチャを、該テンプルの環状突出部が、該凹部内に配置されて、前記ブッシングが、該テンプルヒンジ取り付けブラケットの整列された第１の突出部および第２の突出部ならびに該テンプルの突出部のアパーチャにより規定される通路の第１の端部を少なくとも部分的に通って挿入されることを可能にするように含み；そして
前記ピンが、該通路の第２の端部中、および前記ブッシングのチャンネル中に挿入可能である、請求項８に記載の固定デバイス。
【請求項１２】
前記ピンの頭部と前記第２の眼鏡部材の表面との間にワッシャが配置される、請求項１に記載の固定デバイス。
【請求項１３】
第１の眼鏡部材、およびその中に開口を有する第２の眼鏡部材を一緒に取り付けるための固定デバイスであって：
該開口中への挿入のための第１の眼鏡部材であって、それから伸びるステムを含み、該ステムが該ステムの末端部分に開口する内部チャンネルを含む、該第１の眼鏡部材；および
該開口を通り、そして該ステムの内部通路中への挿入のためのピンであって、頭部、および該チャンネルの壁に係合するための半径方向に伸びる複数のとげを有する柄を有し、ここで、該複数の柄が該柄の長さに沿って長軸方向のノッチによって側面方向に分離され、そして該チャンネル中への挿入を容易するために角を成し、そして該ブッシングから該ピンの所望されない移動を防ぐ、ピン、を備える、固定デバイス。
【請求項１４】
前記第１の眼鏡部材が複数のステムを含み、そして前記第２の眼鏡部材が複数の開口を含み、それによって該ステムが該開口中に挿入し；そして
該開口を通り、そして該ステムの内部チャンネル中への挿入のための複数のピンの、請求項１３に記載の固定デバイス。
【請求項１５】
前記ピンおよびとげが、金属製材料から製作される、請求項１３に記載の固定デバイス。
【請求項１６】
前記ステムが、ポリマーから製作される、請求項１３に記載の固定デバイス。
【請求項１７】
前記ステムが、ナイロンから製作される、請求項１３に記載の固定デバイス。
【請求項１８】
前記第１の眼鏡部材がテンプルヒンジ取り付けブラケットである、請求項１３に記載の固定デバイス。
【請求項１９】
前記第１の眼鏡部材がブリッジである、請求項１３に記載の固定デバイス。
【請求項２０】
その中に第１の開口を有する第１の眼鏡部材、およびその中に第２の開口を有する第２の眼鏡部材を一緒に取り付けるための固定デバイスであって：
該第１の開口を通り、そして該第２の開口中への少なくとも部分的な挿入のためのブッシングであって、それを通る内部チャンネルを含む、ブッシング；および
該第２の開口を通り、そして該ブッシングの内部チャンネル中への挿入のためのピンであって、頭部、および柄を備え、該柄が該チャンネルの壁に係合するためにそれから半径方向に伸びる複数のとげを有し、ここで、該複数のとげが該柄の長さに沿って長軸方向のノッチによって側面方向に分離され、そして該チャンネル中への挿入を容易にするために角を成し、そして該ブッシングからの該ピンの所望されない移動を防ぐ、固定デバイス。
【請求項２１】
前記ブッシングが、その１つの端部上に周縁リップをさらに含む、請求項２０に記載の固定デバイス。
【請求項２２】
前記ブッシングを通る前記チャンネルが、前記第１の眼鏡部材および第２の眼鏡部材の分解を、前記ピンの挿入とは反対の小ツールの挿入によって容易にし、それによってツール先端部が、該ピンの柄の端部部分に圧力を付与し、該ピンが該ブッシングのチャンネル内から追い出される、請求項２０に記載の固定デバイス。
【請求項２３】
その中に第１の開口を有する第１の眼鏡部材、およびその中に第２の開口を有する第２の眼鏡部材、および該第２の眼鏡部材に該第１の眼鏡部材を取り付ける固定手段の組み合せであって：
該第１の開口中、および該第２の開口の少なくとも一部分中に取り付けられたブッシングであって、該ブッシングの末端部分に開放された内部チャンネルを含むブッシング；および
該第２の開口を通り、そして該ブッシングの内部チャンネル中に挿入するためのピンであって、該ピンが頭部および柄を備え、該柄が該チャンネルの壁に係合するためにそれから半径方向に伸びる複数のとげを有し、ここで、該複数のとげが該柄の長さに沿って長軸方向のノッチによって側面方向に分離され、そして該チャンネル中への挿入を容易にするために角を成し、そして該ブッシングからの該ピンの所望されない移動を防ぐ、組み合せ。
【請求項２４】
前記ブッシングが、前記チャンネル開口から間隔を置いて配置された周縁リップをさらに含む、請求項２３に記載の組み合せ。
【請求項２５】
前記ピンおよびとげが、金属製材料から製作される、請求項２３に記載の組み合せ。
【請求項２６】
前記ブッシングが、ポリマーから製作される、請求項２３に記載の組み合せ。
【請求項２７】
前記ブッシングが、ナイロンから製作される、請求項２３に記載の組み合せ。
【請求項２８】
前記第１の眼鏡部材がレンズであり、そして前記第２の眼鏡部材がテンプルヒンジ取り付けブラケットまたはブリッジである、請求項２３に記載の組み合せ。
【請求項２９】
前記第１の眼鏡部材がブリッジであり、そして前記第２の眼鏡部材がレンズである、請求項２３に記載の組み合せ。
【請求項３０】
前記第１の眼鏡部材がテンプルヒンジ取り付けブラケットであり、そして前記第２の眼鏡部材がテンプルまたはレンズである、請求項２３に記載の組み合せ。
【請求項３１】
第１の部材および第２の部材を有する眼鏡であって、該第１の部材がその中に第１の開口を有し、そして該第２の部材がその中に第２の開口を有し、そして該第１の眼鏡部材および該第２の眼鏡部材を一緒に取り付ける固定手段が：
該第１の開口を通り、そして該第２の開口の少なくとも一部分中への挿入のためのブッシングであって、該ブッシングの末端部分に開口する内部チャンネルを含む、ブッシング；および
該第２の開口を通り、そして該ブッシングの内部チャンネル中への挿入のためのピンであって、該ピンが、頭部、および柄を備え、該柄が該チャンネルの壁に係合するためにそれから半径方向に伸びる複数のとげを有し、ここで、該複数のとげが該柄の長さに沿って長軸方向のノッチによって側面方向に分離され、そして該チャンネル中への挿入を容易にするために角を成し、そして該ブッシングからの該ピンの所望されない移動を防ぐ、眼鏡。
【請求項３２】
前記ブッシングが、前記チャンネル開口から間隔を置いて配置された周縁リップをさらに含む、請求項３１に記載の固定デバイス。
【請求項３３】
前記ピンおよびとげが、金属製材料から製作される、請求項３１に記載の固定デバイス。
【請求項３４】
前記ブッシングが、ポリマーから製作される、請求項３１に記載の固定デバイス。
【請求項３５】
前記ブッシングが、ナイロンから製作される、請求項３１に記載の固定デバイス。
【請求項３６】
前記第１の眼鏡部材がレンズであり、そして前記第２の眼鏡部材がテンプルヒンジ取り付けブラケットまたはブリッジである、請求項３１に記載の固定デバイス。
【請求項３７】
前記第１の眼鏡部材がブリッジであり、そして前記第２の眼鏡部材がまたはレンズである、請求項３１に記載の固定デバイス。
【請求項３８】
前記第１の眼鏡部材がテンプルヒンジ取り付けブラケットであり、そして前記第２の眼鏡部材がテンプルまたはレンズである、請求項３１に記載の固定デバイス。
【請求項３９】
前記柄が、前記頭部から間隔を置いて配置された円錐形先端をさらに含む、請求項３１に記載の固定デバイス。
【請求項４０】
前記ブッシングのリップが、移動を容易にするための円錐形中心点を含む、請求項３２に記載の固定デバイス。
【請求項４１】
前記第２の眼鏡部材が、１つの端部上に環状アパーチャを備えた環状突出部を含むテンプルであり；
前記テンプルヒンジ取り付けブラケットが、上面近傍の第１の突出部、および下面近傍の第２の突出部を備えてそれらの間の凹部を規定し；
該第１の突出部および第２の突出部が環状アパーチャを、該テンプルの環状突出部が、該凹部内に配置されて、前記ブッシングが、該テンプルヒンジ取り付けブラケットの整列された第１の突出部および第２の突出部ならびに該テンプルの突出部のアパーチャにより規定される通路の第１の端部を少なくとも部分的に通って挿入されることを可能にするようにし；そして
前記ピンが、該通路の第２の端部中、および前記ブッシングのチャンネル中に挿入可能である、請求項３８に記載の固定デバイス。
【請求項４２】
前記ピンの頭部と前記第２の眼鏡部材の表面との間にワッシャが配置される、請求項３１に記載の固定デバイス。
【請求項４３】
その中に第１の開口を有する第１の眼鏡部材と、その中に第２の開口を有する第２の眼鏡部材とを一緒に取り付けるための固定デバイスであって：
該第１の開口を通り、そして該第２の開口の少なくとも１部分中への挿入のためのブッシングであって、該ブッシングの末端部分に開口する内部チャンネルを含む、ブッシング；および
該第２の開口を通じ、そして該ブッシングの該内部チャンネル中への挿入のためのピンであって、該ピンが頭部および柄を有し、該柄が該チャンネルの壁に係合するためにそれから伸びる複数の歯を有し、ここで、該歯が鋭い先端をもち、該歯が該柄の長さに沿ってランダムに間隔を置いて配置され、かつ該チャンネル中への挿入を容易にする方向にされ、そして該ブッシングから該ピンの所望されない除去を防ぐ、ピン、を備える、固定デバイス。
【請求項４４】
第１の眼鏡部材と、その中に開口を有する第２の眼鏡部材とを一緒に取り付けるための固定デバイスであって：
第１の眼鏡部材が該開口中への挿入のためにそれから伸びるステムを含み、該ステムが該ステムの末端部分に開口する内部チャンネルを含み；そして
該ステムの内部チャンネル中への挿入のためのピンであって、該ピンが頭部および柄を有し、該柄が該チャネルの壁と係合するためにそれから伸びる複数の歯を有し、ここで，該歯が鋭い先端を有し、該歯が該柄部分の長さに沿ってランダムに間隔を置いて配置され、かつ該チャンネル中への挿入を容易にする方向であり、そして上記ステムからのピンの所望されない除去を防ぐ、固定デバイス。
【請求項４５】
その中に第１の開口を有する第１の眼鏡部材と、その中に第２の開口を有する第２の眼鏡部材とを一緒に取り付けるための固定デバイスであって：
該第１の開口を通り、そして該第２の開口の少なくとも１部分中への挿入のためのブッシングであって、それを通る内部チャンネルを含むブッシング；および
該第２の開口を通じ、そして該ブッシングの該内部チャンネル中への挿入のためのピンであって、該ピンが頭部および柄を有し、該柄が該チャンネルの壁に係合するためにそれから伸びる複数の歯を有し、ここで、該歯が鋭い先端をもち、該歯が該柄の長さに沿ってランダムに間隔を置いて配置され、かつ該チャンネル中への挿入を容易にする方向にされ、そして該ブッシングから該ピンの所望されない除去を防ぐ、ピン、を備える、固定デバイス。
【請求項４６】
第１の部材と、第２の部材と、該第１の部材と該第２の部材とを一緒に取り付ける固定手段とを有する眼鏡であって、該第１の部材がその中に第１の開口を有し、そして該第２の部材がその中に第２の開口を有し：
該第１の開口を通り、そして該第２の開口の少なくとも１部分中への挿入のためのブッシングであって、それを該ブッシングの末端部分に開口する内部チャンネルを含むブッシング；および
該第２の開口を通じ、そして該ブッシングの該内部チャンネル中への挿入のためのピンであって、該ピンが頭部および柄を有し、該柄が該チャンネルの壁に係合するためにそれから伸びる複数の歯を有し、ここで、該歯が鋭い先端をもち、該歯が該柄の長さに沿ってランダムに間隔を置いて配置され、かつ該チャンネル中への挿入を容易にする方向にされ、そして該ブッシングから該ピンの所望されない除去を防ぐ、ピン、を備える、眼鏡。
【請求項４７】
第１の眼鏡部材と、第２の眼鏡部材と、該第１の眼鏡部材を該第２の眼鏡部材に取り付ける固定手段とを有する組み合わせであって、該第１の眼鏡部材がその中に第１の開口を有し、そして該第２の眼鏡部材がその中に第２の開口を有し：
該第１の開口を通り、そして該第２の開口の少なくとも１部分中への取り付けのためのブッシングであって、それを該ブッシングの末端部分に開口する内部チャンネルを含むブッシング；および
該第２の開口を通じ、そして該ブッシングの該内部チャンネル中への取り付けのためのピンであって、該ピンが頭部および柄を有し、該柄が該チャンネルの壁に係合するためにそれから伸びる複数の歯を有し、ここで、該歯が鋭い先端をもち、該歯が該柄の長さに沿ってランダムに間隔を置いて配置され、かつ該チャンネル中への挿入を容易にする方向にされ、そして該ブッシングから該ピンの所望されない除去を防ぐ、ピン、を備える、組み合わせ。